(57)【要約】【課題】換気扇を使用しなくても良好に除湿でき、カビや結露の発生を抑えることのできる浴室を提供する。【解決手段】除湿剤７を、天井パネル６と壁パネル５の交差する入隅に固定部材８を介在させて取り付けて構成する。【選択図】図３
2007296140.tif 000002
【特許請求の範囲】
【請求項１】
除湿剤を天井または天井付近の壁に取り付けたことを特徴とする浴室。
【請求項２】
防水パン上に浴槽を設置するとともに浴槽の洗い場側にエプロンを設けてエプロン裏空間が形成される浴室であって、エプロン裏面またはエプロン裏空間に面する壁パネル，防水パン，浴槽に除湿剤を取り付けたことを特徴とする浴室。
【請求項３】
除湿剤を窓付近に取り付けたことを特徴とする浴室。
【発明の詳細な説明】
【技術分野】
【０００１】
本発明は、カビ等の発生や結露の発生を抑制できる浴室に関するものである。
【背景技術】
【０００２】
従来、特許文献１に開示されているように、扉の裏面にシリカゲル等の除湿剤を備え、調湿を補助して、空調装置に要するエネルギーを削減することができる浴室がある。
【特許文献１】特開平１０−６８２７３号公報
【発明の開示】
【発明が解決しようとする課題】
【０００３】
上記特許文献１に開示されている浴室では、扉に除湿剤を備えたのみであり、浴室の天井部分におけるカビの発生や、浴槽周りのカビの発生、或いは窓枠付近の結露の発生を良好に抑制することは困難であり、換気扇を使用して乾燥させてカビや結露の発生を防ぐしかなく、換気扇を使用する場合には、先に入浴した人の次の人の入浴までに時間がかかると換気扇の使用により室温が下がってしまい、温度を低下させないための暖房機を運転するエネルギーが必要となっていた。
【課題を解決するための手段】
【０００４】
本発明は上記従来の問題点に鑑み案出したものであって、換気扇を使用して暖かい空気まで換気しなくても、良好に除湿することで、室温を下げずに効果的にカビ等の発生，結露の発生を抑制できる浴室を提供するものであり、その請求項１は、除湿剤を天井または天井付近の壁に取り付けたことである。
また、請求項２は、防水パン上に浴槽を設置するとともに浴槽の洗い場側にエプロンを設けてエプロン裏空間が形成される浴室であって、エプロン裏面またはエプロン裏空間に面する壁パネル，防水パン，浴槽に除湿剤を取り付けたことである。
また、請求項３は、除湿剤を窓付近に取り付けたことである。
【発明の効果】
【０００５】
本発明の浴室は、除湿剤を天井または天井付近の壁に取り付けたことにより、浴室内で立ち上がる蒸気を天井付近に設けた除湿剤に吸い込ませ、天井付近のカビの発生や結露の発生を良好に抑制でき、換気扇を使用しなくても良好に除湿できるため、浴室内の室温の低下も防ぐことができ、先に入浴した人の次の人の入浴までに時間がかかっても、換気扇を使用する必要がないため、暖かい室温を維持できるものとなる。
【０００６】
また、防水パン上に浴槽を設置するとともに浴槽の洗い場側にエプロンを設けてエプロン裏空間が形成される浴室であって、エプロン裏面またはエプロン裏空間に面する壁パネル，防水パン，浴槽に除湿剤を取り付けたことにより、浴槽の周りのエプロンや壁パネルや浴槽そのものの壁面に除湿剤を取り付けて、浴槽周りのカビの繁殖を良好に抑制できるものとなる。
【０００７】
また、除湿剤を窓付近に取り付けたことにより、結露が発生し易い窓付近に除湿剤を取り付けて、窓の結露の発生やカビの繁殖を良好に抑制できるものとなる。
【実施例】
【０００８】
以下、本発明の実施例を図面に基づいて説明する。
図１は、浴室の概略斜視構成図であり、また図２は、洗い場側から見た浴室内の概略構成図である。
【０００９】
浴室１は、その底面側の防水パン２で洗い場２ａが形成され、浴槽３側にはエプロン３ａが立設されて、エプロンと反対側の浴槽３の外側には、外側へ突出して窓枠４が設けられており、また、複数枚の壁パネル５が立設されて側壁面が形成され、その上端には天井パネル６が設けられて天井面が形成されている。
本例では、除湿剤７が天井または天井付近の壁に取り付けられており、また浴槽３周りの垂直な壁にも除湿剤７が取り付けられており、更に、窓枠４の内周側にも除湿剤７が取り付けられている。
【００１０】
先ず、天井または天井付近の壁に取り付けられた除湿剤を図３及び図４に拡大縦断面図で示すが、図３では、壁パネル５と天井パネル６の交差する入隅に断面Ｌ字状の固定部材８をビス９で固定しておき、この固定部材８の上差込部８ａ及び下差込部８ｂ間に、除湿剤７である板状の調湿建材を嵌め込んで取り付けたものである。
なお、この除湿剤７は、天井パネル６と壁パネル５の交差する入隅の一辺の面に取り付けたものであっても、２面，３面及び全面に取り付けたものであっても良い。
【００１１】
なお、調湿建材は、例えば鹿沼土，大沢土及び膠質土，水土，味噌土と呼ばれる各地の火山軽石層や珪藻土，酸性白土，活性白土，ゼオライト，ハロイサイト，セピオライト等の調湿性原料に木節粘土，蛙目粘土等の粘土や珪石，陶石，蝋石，長石，その他のガラス質成分等を混合し、押し出し成形またはプレス成形して得られた成形体を焼成することにより製造されたものである。
【００１２】
このように、天井付近に除湿剤７を取り付けておけば、浴室内で立ち上がる蒸気を除湿剤７に吸い込ませて、良好に天井付近を除湿することができ、天井付近のカビの繁殖を良好に抑えることができるものとなり、換気扇を使用しなくても良好に除湿できるために、浴室内の室温を下げずに効果的にカビ等の発生や、結露の発生を抑制できるものとなる。
【００１３】
なお、図４は、天井パネル６側の壁パネル５の室内側に固定部材１０をビス９，９で固定しておき、この固定部材１０の上差込部１０ａと下係合部１０ｂ間に、調湿建材で構成された除湿剤７を嵌め込み状に取り付けたものである。
なお、嵌め込まれた除湿剤７と固定部材１０間に隙間Ｓが形成されるように、固定部材１０には室内側へ突出する凸部１０ｃが形成されており、除湿剤７の表側及び裏側で良好な除湿が行われるように構成されている。
【００１４】
なお、図３及び図４では、焼成された板状の調湿建材を除湿剤７として用いたものを例示しているが、図５に示すように、Ｌ字状の固定部材８の室内側に傾斜状に化粧板１１を取り付け、この化粧板１１と固定部材８間の隙間内に除湿剤７を交換可能に入れ込んで構成しても良く、化粧板１１に縦方向のスリット１１ａを複数形成させておき、このスリット１１ａから蒸気を吸い込めるように構成しておくことができる。なお、この場合、除湿剤７として、シリカゲルの他に炭，活性炭，生石灰，塩化カルシウム，鉱石等を用いても良い。
この図５の場合は、化粧板１１を取り外して適宜除湿剤７を新たなものに取り替えることができるものである。
【００１５】
次に、図６で示すものは、浴槽３の周りに立設される壁パネル５にフック１２を設けておき、このフック１２に調湿建材からなる除湿剤７を引っ掛けて取り付けたものである。なお、壁パネル５は防水パン２の外周に形成されている壁載置面２ｂ上に立設されるものであり、壁載置面２ｂの外側には水切片２ｃが立設されている。
【００１６】
なお、浴槽３そのものの裏面のほぼ垂直な壁面に除湿剤７を取り付けても良く、また、洗い場２ａ側に立設されるエプロン３ａの裏側にフック等を設けて除湿剤７を取り付けたものであっても良く、浴槽３の周りのエプロン裏面またはエプロン裏空間に面する壁パネル，防水パン，浴槽に除湿剤７を取り付けて、浴槽３の裏面側の空間周りを除湿することで、カビの繁殖を良好に抑制することができるものとなる。特に、エプロン３ａの裏側には、浴槽３排水が流れるためカビが発生し易く、またトラップからの排水臭も侵入してくるが、これらの臭いも除湿剤７で良好に除去することができるものとなる。
【００１７】
次に、図７は、窓枠の縦断面図を示しており、窓４ａと浴室の壁パネル５間を繋ぐ窓枠４の窓額縁の上面４ｂ或いは下面４ｃに、図８に拡大して示すように、凹み状に凹溝４ｄを形成させておき、この凹溝４ｄ内に調湿建材で構成される除湿剤７を嵌め込んで、ほぼ面一状にすっきりとした状態で除湿剤７を窓枠４に取り付けておくことができ、この窓枠４を構成する窓額縁の上面４ｂ，下面４ｃ及び左右の側面にそれぞれ凹溝４ｄを形成させて、窓枠４の内周全域に除湿剤７を嵌め込み状に取り付けておき、結露し易い窓４ａ付近を良好に除湿して、結露の発生やカビの繁殖を良好に抑えることができるものとなる。
なお、窓額縁の下面４ｃは水がかかりやすいために、除湿剤７の取り付けを省略しても良い。
【００１８】
なお、図９に示すように、凹溝４ｄに、スリット１１ａを有する化粧板１１を着脱可能に取り付け、この化粧板１１の裏側の凹溝４ｄ内に交換可能にシリカゲル等で構成される除湿剤７を設ける構成であっても良く、更には、この化粧板１１は、水は通さないが水蒸気を通すことのできるシートで構成することもでき、このシートで構成した場合は、シートの内側にシリカゲル等の除湿剤７を入れ込んで、凹溝４ｄ内に取り付けることができるものである。
【図面の簡単な説明】
【００１９】
【図１】浴室の概略斜視構成図である。
【図２】浴室の洗い場側から見た正面概略構成図である。
【図３】天井パネルと壁パネルの交差する入隅に除湿剤を取り付けた縦断面拡大構成図である。
【図４】天井パネル側の壁パネルに沿って除湿剤を取り付けた場合の縦断面拡大構成図である。
【図５】天井パネルと壁パネルの交差する入隅に化粧板を取り付け、この化粧板の裏側に交換可能に除湿剤を取り付けた要部拡大斜視構成図である。
【図６】浴槽周りの壁パネルに除湿剤をフックで取り付けた状態の要部拡大斜視構成図である。
【図７】窓枠の縦断面構成図である。
【図８】窓枠に設けた凹溝内に除湿剤を嵌め込んだ状態の要部拡大斜視構成図である。
【図９】窓枠の凹溝内に化粧板を設けて裏側に交換可能に除湿剤を設けた場合の要部拡大斜視構成図である。
【符号の説明】
【００２０】
１  浴室
２  防水パン
２ａ  洗い場
３  浴槽
３ａ  エプロン
４  窓枠
４ａ  窓
４ｂ  窓額縁上面
４ｃ  窓額縁下面
４ｄ  凹溝
５  壁パネル
６  天井パネル
７  除湿剤
８  固定部材
９  ビス
１０  固定部材
１１  化粧板
１１ａ  スリット
１２  フック
【図１】
2007296140.tif 000003
【図２】
2007296140.tif 000004
【図３】
2007296140.tif 000005
【図４】
2007296140.tif 000006
【図５】
2007296140.tif 000007
【図６】
2007296140.tif 000008
【図７】
2007296140.tif 000009
【図８】
2007296140.tif 000010
【図９】
2007296140.tif 000011